(57)【特許請求の範囲】
【請求項１】
通されたコードに留め付く二箇所のコードの通し穴を備えると共に、各通し穴がそれぞれ全ての通し穴の中心を通る仮想の第一直線に沿う向きに長い長穴状をなしており、しかも、各通し穴とアジャスター外縁との間に亘ってそれぞれ前記仮想の第一直線に交叉する仮想の第二直線に沿ったコードの導入路が形成されており、
さらに、アジャスター中央部と、このアジャスター中央部から延びだして腕端をこのアジャスター中央部に向けたフック状をなす弾性腕部とを有し、弾性腕部の内側を通し穴とし、弾性腕部の腕端とアジャスター中央部との間を導入路として、コードの挿通方向に直交する向きの断面をＳ字状としてなることを特徴とするコードアジャスター。
【請求項２】
コードの導入路における通し穴との連通箇所の幅寸法は、通し穴の長さ寸法よりも小さく、導入路はこの通し穴の長さ方向に沿った穴縁とアジャスター外縁との間に亘って形成されていることを特徴とする請求項１に記載のコードアジャスター。
【請求項３】
コードの導入路の少なくともアジャスターの外縁側に位置される箇所の幅寸法を、このアジャスター外縁に向かうに連れて大きくしてなることを特徴とする請求項１又は請求項２に記載のコードアジャスター。
【請求項４】
仮想の第一直線を挟んだ両側に位置されるアジャスターの外縁がそれぞれ、この仮想の第一直線に略平行をなす部分を有することを特徴とする請求項１〜３のいずれか１項に記載のコードアジャスター。
【発明の詳細な説明】
【技術分野】
【０００１】
この発明は、コードの通し穴を有し、この通し穴において通されたコードに留め付いて、典型的には、この留め付け箇所を挟んだ一方側に位置されるコードの長さを所望の長さに維持させるように用いられるコードアジャスターの改良に関する。
【背景技術】
【０００２】
プレート状をなすと共に、コードの通し穴を間隔を開けて二箇所に備えてなるコードアジャスターがある。しかるに、かかるコードアジャスターにおいては、前記通し穴はこの通し穴に通されるコードの直径よりもやや小径に構成されることから、第一に、留め付け対象となるコードが比較的細い場合、コードを通し穴に通し難く、したがって、コードにコードアジャスターを装着し難く、また、第二に、直径をやや異ならせる数種のコードに対応させるためには通し穴が弾性変形によりある程度拡大できるようにコードアジャスター全体を弾性変形可能に構成せざるを得ず、また、第三に、既存のコードを備えた物品のかかるコードに事後的に装着することが困難であった。
【発明の概要】
【発明が解決しようとする課題】
【０００３】
この発明が解決しようとする主たる問題点は、この種のコードアジャスターを、比較的細いコードの留め付けにも支障なく対応でき、かつ、直径を一定の範囲で異ならせる数種のコードの留め付けに対応できるようにする点にある。
【課題を解決するための手段】
【０００４】
前記課題を達成するために、この発明にあっては、コードアジャスターを、通されたコードに留め付く二箇所のコードの通し穴を備えると共に、各通し穴がそれぞれ全ての通し穴の中心を通る仮想の第一直線に沿う向きに長い長穴状をなしており、しかも、各通し穴とアジャスター外縁との間に亘ってそれぞれ前記仮想の第一直線に交叉する仮想の第二直線に沿ったコードの導入路が形成されているものとした。前記通し穴は長さを有することから、一定の範囲で太さを異ならせる数種のコードをそれぞれ、かかる通し穴に通すことが可能とされる。また、前記通し穴に、前記導入路を利用して、コードを通せるようになっていることから、留め付け対象となるコードが比較的細く、よって通し穴の幅寸法も小さくせざるを得ない場合であっても、かかる通し穴に容易にコードを通すことができる。
【０００５】
前記コードアジャスターを、アジャスター中央部と、このアジャスター中央部から延びだして腕端をこのアジャスター中央部に向けたフック状をなす弾性腕部とを有したものとし、かかる弾性腕部の内側を通し穴とし、弾性腕部の腕端とアジャスター中央部との間を導入路として、コードの挿通方向に直交する向きの断面をＳ字状としてなるものとしておくこともある。このようにした場合、導入路を利用した通し穴へのコードの導入にあたって導入路を広げるように弾性腕部を変形させてこの導入を容易になすことができる。
【０００６】
前記コードの導入路における通し穴との連通箇所の幅寸法を、通し穴の長さ寸法よりも小さくすると共に、導入路をこの通し穴の長さ方向に沿った穴縁とアジャスター外縁との間に亘って形成させておけば、通し穴に通されたコードは導入路に入り込み難く、通し穴に一旦通されたコードは導入路を通じて予期せず抜け出してしまうことがない。
【０００７】
前記コードの導入路の少なくともアジャスターの外縁側に位置される箇所の幅寸法を、このアジャスター外縁に向かうに連れて大きくするように構成させておけば、導入路内へのコードの導入を容易になすことができる。
【０００８】
前記仮想の第一直線を挟んだ両側に位置されるアジャスターの外縁がそれぞれ、この仮想の第一直線に略平行をなす部分を有するようにしておけば、かかる略平行をなす部分を利用してコードロックを摘み持ちやすく、コードの導入路への導入操作、抜き出し操作、コードの長さ方向に沿ったコードアジャスターの移動操作を容易に行なうことができる。
【発明の効果】
【０００９】
この発明にかかるコードアジャスターは、通し穴にコードを導く導入路を備えていることから比較的細いコードの留め付けにも支障なく対応でき、また、既存のコードを備えた物品のかかるコードに事後的に装着することができる。また、通し穴は長穴状をなすことから直径を一定の範囲で異ならせる数種のコードの留め付けに対応できる。
【図面の簡単な説明】
【００１０】
【図１】図１は実施の形態にかかるコードロックの斜視図である。
【図２】図２は実施の形態にかかるコードロックの正面図である。
【図３】図３は実施の形態にかかるコードロックの側面図である。
【図４】図４は図３におけるＡ−Ａ線断面図である。
【図５】図５は実施の形態にかかるコードロックの使用状態を示した斜視図である。
【図６】図６は図５におけるＢ−Ｂ線断面図である。
【発明を実施するための形態】
【００１１】
以下、図１〜図６に基づいて、この発明の典型的な実施の形態について、説明する。この実施の形態にかかるコードアジャスターＡｊは、コードＣの通し穴１を有し、この通し穴１において通されたコードＣに留め付いて、典型的には、この留め付け箇所を挟んだ一方側に位置されるコードＣの長さを所望の長さに維持させるように用いられるものである。
【００１２】
かかるコードＣは、前記のようにコードアジャスターＡｊの留め付けが可能なものであれば、その形状（丸紐、平紐など）、材質や構造（編み紐、ゴム紐、合成樹脂製の紐など）は問われない。
【００１３】
かかるコードアジャスターＡｊは、典型的には、こうしたコードＣにより絞られたり、引き締められたりする箇所を備えた各種の物品におけるこのコードＣに留め付けられて、その留め付け位置を変えることでこのような箇所を絞ったり、緩めたりするように用いられる。
【００１４】
図示の例では、帽子のあご紐ＣａにコードアジャスターＡｊを利用した例を示している。コードアジャスターＡｊの留め付け位置を帽子本体Ｈ側に移動させればさせるほど、コードアジャスターＡｊと帽子本体Ｈとの間にあるあご紐Ｃａの長さが短くなる。コードアジャスターＡｊの留め付け位置の移動は、通し穴１の内壁にコードＣを摺接させながら、このコードＣに沿ってコードアジャスターＡｊを移動させることでなすことができる。
【００１５】
かかるコードアジャスターＡｊは、前記通し穴１を少なくとも二箇所備えた構成となっている。図示の例では、かかるコードアジャスターＡｊは、通し穴１を二箇所備えており、典型的には、一本のコードＣの一端側を二箇所の通し穴１の一方に通し、かつ、この一本のコードＣの他方を二箇所の通し穴１の他方に通すようにして、用いることができるようになっている。前記のあご紐Ｃａの例では、かかるコードアジャスターＡｊは、あご紐Ｃａの中間部をそれぞれ二箇所の通し穴１に通して、コードアジャスターＡｊによってあご紐Ｃａのこの中間部にループＣｂを形成させるように用いられている。コードアジャスターＡｊの留め付け位置を帽子本体Ｈ側に移動させればさせるほど、かかるループＣｂは大きくなる。
【００１６】
かかる二箇所の通し穴１はそれぞれ、各通し穴１の中心を通る仮想の第一直線ｘに沿う向きに長い長穴状をなしている。具体的には、通し穴１はコードＣの挿通方向に直交する向きにコードアジャスターＡｊを断面にした状態において、長さと幅とを持つように形成されている。通し穴１の幅寸法は、通されるコードＣの太さよりもやや小さくなるように構成されている。これにより、通し穴１に通されたコードＣのこの通し穴１内に位置される箇所は押しつぶされた状態になり、この箇所の外面は通し穴１の内壁に圧接され、これによりこの通し穴１においてコードアジャスターＡｊは通されたコードＣに留め付く。（図６）一方、かかる通し穴１は長さを有することから、一定の範囲で太さを異ならせる数種のコードＣをそれぞれ、かかる通し穴１に通すことが可能とされる。
【００１７】
また、前記各通し穴１とアジャスター外縁２との間にはそれぞれこの両者間に亘って前記仮想の第一直線ｘに交叉する仮想の第二直線ｙに沿ったコードＣの導入路３が形成されている。これにより、前記通し穴１に、この導入路３を利用して、コードＣを通せるようになっている。したがって、留め付け対象となるコードＣが例えば直径２ｍｍ前後のゴム状弾性を備えたコードＣであって比較的細く、よって通し穴１の幅寸法も１．４ｍｍ前後と小さくせざるを得ない場合であっても、かかる通し穴１に容易にコードＣを通すことができる。
【００１８】
図示の例では、コードアジャスターＡｊは、コードＣの前記挿通方向に直交する向きの断面において、そのアジャスター外縁２を、仮想の略楕円形の弧上に位置させるように形成されている。すなわち、コードアジャスターＡｊは長さと幅とを持つように構成されている。
【００１９】
また、この実施の形態にあっては、コードアジャスターＡｊは、アジャスター中央部４と、このアジャスター中央部４から延びだして腕端５ａをこのアジャスター中央部４に向けたフック状をなす弾性腕部５とを有し、この弾性腕部５の内側を通し穴１とし、この弾性腕部５の腕端５ａとアジャスター中央部４との間を導入路３とするように構成されている。図示の例では、コードアジャスターＡｊはアジャスター中央部４を挟んだ一方側に弾性腕部５を有すると共に、このアジャスター中央部４を挟んだ他方側に一方側の弾性腕部５と逆向きにこのアジャスター中央部４からのびだす弾性腕部５を有している。アジャスター中央部４と二つの弾性腕部５、５は、コードＣの挿通方向に直交する向きにあるその一面及び他面をそれぞれ同面上に位置させるように形成されている。また、コードアジャスターＡｊは前記挿通方向に直交する向きの断面において、概ねＳ字状を呈するように構成されている。すなわち、二箇所の通し穴１の一方に対する導入路３はコードアジャスターＡｊの長さ方向に沿った一方のアジャスター外縁２において外方に開放され、かつ、二箇所の通し穴１の他方にに対する導入路３はコードアジャスターＡｊの長さ方向に沿った他方のアジャスター外縁２において外方に開放されている。これにより、導入路３を利用した通し穴１へのコードＣの導入にあたって導入路３を広げるように弾性腕部５を変形させてこの導入を容易になすことができるようになっている。
【００２０】
また、この実施の形態にあっては、前記コードＣの導入路３における通し穴１との連通箇所３ａの幅寸法は、通し穴１の長さ寸法よりも小さく、さらに、導入路３はこの通し穴１の長さ方向に沿った穴縁とアジャスター外縁２との間に亘って形成されている。図示の例では、導入路３は、通し穴１の長さ方向の略中程の位置において、この通し穴１に連通されている。これにより、通し穴１に通されたコードＣは導入路３に入り込み難く、通し穴１に一旦通されたコードＣが導入路３を通じて予期せず抜け出してしまうことがないようになっている。
【００２１】
また、この実施の形態にあっては、前記コードＣの導入路３の幅寸法をアジャスター外縁２側に向かうに連れて大きくするようにしている。図示の例では、導入路３は前記仮想の第一直線ｘとの間に、アジャスター中央部４側であって且つ導入路３の導入口３ｂ側において鋭角を形成するように、この仮想の第一直線ｘに交叉する仮想の第二直線ｙに沿って形成されている。それと共に、導入路３を構成する一対の側壁３ｃ、３ｄのうちアジャスター中央部４側に位置される側壁３ｃはこの仮想の第二直線ｙに平行をなす一方で、他方の側壁３ｄは前記連通箇所３ａ側ではこの仮想の第二直線ｙに平行をなすが導入路３の途中からは導入口３ｂに近づくに連れてアジャスター中央部４側に位置される側壁３ｃから離れるように傾斜している。これにより、導入路３内へのコードＣの導入の容易化が図られている。
【００２２】
また、この実施の形態にあっては、前記仮想の第一直線ｘを挟んだ両側に位置されるアジャスターの外縁がそれぞれ、この仮想の第一直線ｘに略平行をなす部分２ａを有している。図示の例では、アジャスターの長さ方向に沿ったアジャスター外縁２における導入路３の導入口３ｂを挟んだ両側がそれぞれ仮想の第一直線ｘに略平行をなすように形成されている。これにより、この実施の形態にあっては、この略平行をなす部分２ａを利用してコードＣロックを摘み持ちやすく、コードＣの導入路３への導入操作、抜き出し操作、コードＣの長さ方向に沿ったコードアジャスターＡｊの移動操作が容易に行えるようになっている。
【００２３】
かかるコードアジャスターＡｊにおける弾性変形特性を備えるべき箇所へのこの特性の付与は、かかるコードアジャスターＡｊを合成樹脂の成形品とすることで、容易に実現することができる。
【符号の説明】
【００２４】
Ｃ  コード
１  通し穴
２  アジャスター外縁
３  導入路
ｘ  第一直線
ｙ  第二直線
【図１】
0005657995.tif 000002
【図２】
0005657995.tif 000003
【図３】
0005657995.tif 000004
【図４】
0005657995.tif 000005
【図５】
0005657995.tif 000006
【図６】
0005657995.tif 000007